(57)【要約】【課題】イメージセンサの読み取りにおける温度、反射率に起因する出力特性変化に対し、温度と符号間干渉との影響を除去し、読み取り特性を向上させたイメージセンサ出力補正装置、方法を提供する。【解決手段】イメージセンサ１１からのセンサ出力信号ａを第一硬判定部１２で硬判定を行い、その判定結果信号が入力され等化出力信号ｂを生成するトランスバーサルフィルタ１３と、ディレイｎ２３のデータと等化出力信号ｂとの差分を演算する減算器１７と、差分が０となるようタップゲイン１３４を制御する第一比較器１８と、セレクタ１６で選択されたメモリ１４のデータ信号と減算器１７からの出力信号とが同一レベルとなるようタップゲイン１３４を制御する第二比較器１９とを備える。【選択図】      図１
2005057516.tif 000002
【特許請求の範囲】
【請求項１】
原稿の画像を読み取って画像信号に変換するイメージセンサと、前記イメージセンサからのセンサ出力信号を２値の硬判定を行う第一硬判定部からの出力信号が入力され入力信号を等化するトランスバーサルフィルタと、複数の読み取り基準信号を基に予め生成したシェーディング補正データを格納するメモリと、２値の硬判定を行う第二硬判定部の判定結果により前記メモリからの出力信号を選択するセレクタと、前記センサ出力信号と前記トランスバーサルフィルタから出力される等化出力信号との差分を演算する減算器と、前記差分が０となるように前記トランスバーサルフィルタを制御する第一比較器と、前記減算器からの出力信号と前記セレクタで選択した出力信号とを比較し両出力信号が同一信号レベルとなるよう前記トランスバーサルフィルタを制御する第二比較器と、前記第二比較器で制御後の出力信号に前記セレクタからの出力信号を用いてシェーディング補正を行うシェーディング補正回路と、前記シェーディング補正回路からのセンサ出力補正信号が入力されアナログ信号からデジタル信号に変換するＡ／Ｄコンバータとを有することを特徴とするイメージセンサ出力補正装置。
【請求項２】
前記読み取り基準信号は、白基準信号データと黒基準信号データとを有することを特徴とする請求項１記載のイメージセンサ出力補正装置。
【請求項３】
前記メモリは、前記白基準信号データに対する前記シェーディング補正データを格納する第一補正メモリと、前記黒基準信号データに対する前記シェーディング補正データを格納する第二補正メモリとを有することを特徴とする請求項１または２記載のイメージセンサ出力補正装置。
【請求項４】
前記セレクタは、前記第二硬判定部の硬判定結果が１のとき、前記第一補正メモリの前記シェーディング補正データを選択して出力し、前記第二硬判定部の硬判定結果が０のとき、前記第二補正メモリの前記シェーディング補正データを選択して出力する手段を有することを特徴とする請求項１または３記載のイメージセンサ出力補正装置。
【請求項５】
前記第一比較器は、前記差分が０となるようにタップゲインを制御することを特徴とする請求項１記載のイメージセンサ出力補正装置。
【請求項６】
前記第二比較器は、前記減算器からの出力信号と前記セレクタで選択した出力信号とが同一信号レベルとなるようにタップゲインを制御することを特徴とする請求項１記載のイメージセンサ出力補正装置。
【請求項７】
前記減算器は、前記イメージセンサのデータの符号間干渉を除去した信号を出力することを特徴とする請求項１記載のイメージセンサ出力補正装置。
【請求項８】
前記第二比較器で制御後の出力信号は、シェーディング補正時の温度レベルでの出力を有することを特徴とする請求項１記載のイメージセンサ出力補正装置。
【請求項９】
前記シェーディング補正回路は、符号間干渉と温度の影響とを除去した信号が入力されることを特徴とする請求項１記載のイメージセンサ出力補正装置。
【請求項１０】
前記センサ出力信号は、前記トランスバーサルフィルタに入力されるデータとタイミングのマッチングをとった遅延データが、前記減算器と前記第一比較器と前記第二硬判定部とに入力されることを特徴とする請求項１記載のイメージセンサ出力補正装置。
【請求項１１】
前記トランスバーサルフィルタは、前記イメージセンサのデータを１ビットごとに入力する複数の遅延素子を有するシフトレジスタと、前記遅延素子の出力と乗算されるべきタップゲインを発生する複数のタップゲインレジスタと、前記遅延素子の各々の出力と前記タップゲインとを乗算する複数の乗算器と、前記乗算器からの出力の総和を演算する加算器とを有し、前記加算器は、前記等化出力信号を前記減算器へ出力することを特徴とする請求項１記載のイメージセンサ出力補正装置。
【請求項１２】
イメージセンサにより読み取った複数の読み取り基準信号を基に予め生成したシェーディング補正データをメモリに格納するステップと、前記イメージセンサからのセンサ出力信号を第一硬判定部で２値の硬判定を行うステップと、前記第一硬判定部からの出力信号をトランスバーサルフィルタに入力し等化するステップと、前記センサ出力信号と前記トランスバーサルフィルタから出力される等化出力信号との差分を減算器で演算するステップと、第一比較器により前記差分が０となるように前記トランスバーサルフィルタを制御するステップと、２値の硬判定を行う第二硬判定部の判定結果により前記メモリからの出力信号をセレクタで選択するステップと、第二比較器により前記減算器からの出力信号と前記セレクタで選択した出力信号とを比較し両出力信号が同一信号レベルとなるよう前記トランスバーサルフィルタを制御するステップと、前記第二比較器で制御後の出力信号に前記セレクタからの出力信号を用いてシェーディング補正回路でシェーディング補正を行うステップと、前記シェーディング補正回路からのセンサ出力補正信号がＡ／Ｄコンバータに入力され、Ａ／Ｄコンバータによりアナログ信号からデジタル信号に変換するステップとを有することを特徴とするイメージセンサ出力補正方法。
【請求項１３】
前記読み取り基準信号は、白基準信号データと黒基準信号データとを有することを特徴とする請求項１２記載のイメージセンサ出力補正方法。
【請求項１４】
前記メモリに格納するステップは、前記白基準信号データに対する前記シェーディング補正データを第一補正メモリに格納するステップと、前記黒基準信号データに対する前記シェーディング補正データを第二補正メモリに格納するステップとを有することを特徴とする請求項１２または１３記載のイメージセンサ出力補正方法。
【請求項１５】
前記セレクタは、前記第二硬判定部の硬判定結果が１のとき、前記第一補正メモリの前記シェーディング補正データを選択して出力し、前記第二硬判定部の硬判定結果が０のとき、前記第二補正メモリの前記シェーディング補正データを選択して出力することを特徴とする請求項１２または１４記載のイメージセンサ出力補正方法。
【請求項１６】
前記第一比較器は、前記差分が０となるようにタップゲインを制御することを特徴とする請求項１２記載のイメージセンサ出力補正方法。
【請求項１７】
前記第二比較器は、前記減算器からの出力信号と前記セレクタで選択した出力信号とが同一信号レベルとなるようにタップゲインを制御することを特徴とする請求項１２記載のイメージセンサ出力補正方法。
【請求項１８】
前記減算器は、前記イメージセンサのデータの符号間干渉を除去した信号を出力することを特徴とする請求項１２記載のイメージセンサ出力補正方法。
【請求項１９】
前記第二比較器で制御後の出力信号は、シェーディング補正時の温度レベルでの出力を有することを特徴とする請求項１２記載のイメージセンサ出力補正方法。
【請求項２０】
前記シェーディング補正回路は、符号間干渉と温度の影響とを除去した信号が入力されることを特徴とする請求項１２記載のイメージセンサ出力補正方法。
【請求項２１】
前記センサ出力信号は、前記トランスバーサルフィルタに入力されるデータとタイミングのマッチングをとった遅延データが、前記減算器と前記第一比較器と前記第二硬判定部とに入力されることを特徴とする請求項１２記載のイメージセンサ出力補正方法。
【請求項２２】
前記トランスバーサルフィルタは、前記イメージセンサのデータを１ビットごとに入力する複数の遅延素子を有するシフトレジスタと、前記遅延素子の出力と乗算されるべきタップゲインを発生する複数のタップゲインレジスタと、前記遅延素子の各々の出力と前記タップゲインとを乗算する複数の乗算器と、前記乗算器からの出力の総和を演算する加算器とを有し、前記加算器は、前記等化出力信号を前記減算器へ出力することを特徴とする請求項１２記載のイメージセンサ出力補正方法。
【発明の詳細な説明】
【技術分野】
【０００１】
本発明は、イメージセンサ出力補正装置、方法に関し、特に、イメージセンサから出力される信号の温度、反射率に起因する変動を抑制し、安定化させるイメージセンサ出力補正装置、方法に関する。
【背景技術】
【０００２】
従来、光源を用いて原稿を照射し、原稿からの反射光をＣＣＤ（電荷結合素子）などのイメージセンサを用いて読み取る画像読み取り装置は、原稿を読み込む前に原稿の基準白色板を読み込んで、予め光量のばらつきを測定し、原稿を読み込む際に、測定結果に基付いて閾値を補正して、最適な閾値が得られるようにシェーディング補正を行っているが、イメージセンサ出力は、温度により光学特性が変化するため、正確なイメージセンサ出力信号を得られないことになる。
【０００３】
そこで、温度に起因するイメージセンサの出力補正を行う技術として、イメージセンサの端部ビットをダミービットとし、白基準の値をモニターし、そのモニタービットの値により全体の各ビットの白レベルを予想するための補正値を係数メモリから選び、予め装置温度が最も低い状態で白レベルメモリに取り込んだ基準データに補正係数を乗算し、各ビットの白レベルを予想することにより、光源の温度、動作開始時間に関係せず、常に良好なイメージ信号を得ることのできるものがある（例えば、特許文献１参照。）。
【０００４】
また、画像読み取り待機中に、アナログ処理回路近傍の温度を温度センサにより測定し、測定温度が各々異なる複数の設定温度に達したとき、イメージセンサの出力が各設定温度における白基準データとしてメモリに書き込まれ、画像読み取り中には、温度センサにより測定された温度が設定温度に達したとき、設定温度に対応した白基準データがメモリから読み出されてシェーディング補正回路によりシェーディング補正を行うことにより、連続画像読み取り中に装置内の温度変動が大きく生じ、変動が画像読み取りに影響を与えてもそれを補正することができるものもある（例えば、特許文献２参照。）。
【０００５】
さらに、イメージセンサに温度センサを設け、イメージセンサの雰囲気温度を温度センサにより検出し、温度センサからの温度検出信号を可変電源装置が読み込んで、そのときの検出温度に応じてイメージセンサの出力回路におけるバイアス電圧の電圧値を可変に調整することにより、補正回路を用いた演算処理によることなく、イメージセンサから出力されるセンサ信号の温度補正を行うものもある（例えば、特許文献３参照。）。
【０００６】
しかしながら、上記特許文献１、２、３記載の技術は、イメージセンサの出力特性が隣接するイメージの変化により出力特性に影響を受け、読み取り特性を劣化させるという問題がある。
【０００７】
例えば、隣接する領域が黒で、読み取り箇所が白である場合、読み取り特性は、隣接する領域が黒による影響を受け、読み取り箇所のデータが、真っ白ではなく黒っぽく見えるようなデータとなり、読み取り特性を劣化させることになる。
【０００８】
また、イメージセンサの出力特性の変化要因は、温度以外に媒体（原稿）の反射率もあり、反射率の違いにより出力レベルの特性変化による影響も受けるが、媒体の種類を判別させるには、媒体自体に印をつけるなどの対策を施し、媒体の特性変化に対応した補正値のテーブルをメモリに持つ必要があるため、多くのメモリが必要になるという問題がある。
【０００９】
【特許文献１】特開平７ー０７９３４１号公報
【００１０】
【特許文献２】特開平８ー２２３４１７号公報
【特許文献３】特開２００２ー３１４８８７号公報
【発明の開示】
【発明が解決しようとする課題】
【００１１】
以上説明したように、特許文献１、２、３記載の従来技術は、イメージセンサの出力特性が隣接するイメージの変化により出力特性に影響を受け、読み取り特性を劣化させるという課題がある。
【００１２】
例えば、隣接する領域が黒で、読み取り箇所が白である場合、読み取り特性は、隣接する領域が黒による影響を受け、読み取り箇所のデータが、真っ白ではなく黒っぽく見えるようなデータとなり、読み取り特性を劣化させることになる。
【００１３】
また、イメージセンサの出力特性の変化要因は、温度以外に媒体（原稿）の反射率もあり、反射率の違いにより出力レベルの特性変化による影響も受けるが、これを解決すべく、媒体自体に印をつけるなどの対策を施し、媒体の種類を判別させ、媒体の特性変化に対応した補正値のテーブルをメモリに持たすと、多くのメモリ容量が必要になるという課題がある。
【００１４】
本発明の目的は、上記課題を解決すべく、イメージセンサの出力特性変化に対し、トランスバーサルフィルタにより適時等化を行なうことでイメージセンサ出力の信頼性向上を図ると共に、補正値を減少させ、メモリ容量を少なくすることのできるイメージセンサ出力補正装置、方法を提供することにある。
【課題を解決するための手段】
【００１５】
本発明のイメージセンサ出力補正装置は、原稿の画像を読み取って画像信号に変換するイメージセンサと、イメージセンサからのセンサ出力信号を２値の硬判定を行う第一硬判定部からの出力信号が入力され入力信号を等化するトランスバーサルフィルタと、複数の読み取り基準信号を基に予め生成したシェーディング補正データを格納するメモリと、２値の硬判定を行う第二硬判定部の判定結果によりメモリからの出力信号を選択するセレクタと、センサ出力信号とトランスバーサルフィルタから出力される等化出力信号との差分を演算する減算器と、差分が０となるようにトランスバーサルフィルタを制御する第一比較器と、減算器からの出力信号とセレクタで選択した出力信号とを比較し両出力信号が同一信号レベルとなるようトランスバーサルフィルタを制御する第二比較器と、第二比較器で制御後の出力信号にセレクタからの出力信号を用いてシェーディング補正を行うシェーディング補正回路と、シェーディング補正回路からのセンサ出力補正信号が入力されアナログ信号からデジタル信号に変換するＡ／Ｄコンバータとを有することを特徴とする。
【００１６】
読み取り基準信号は、白基準信号データと黒基準信号データとを有することを特徴とする。
【００１７】
メモリは、白基準信号データに対するシェーディング補正データを格納する第一補正メモリと、黒基準信号データに対するシェーディング補正データを格納する第二補正メモリとを有することを特徴とする。
【００１８】
セレクタは、第二硬判定部の硬判定結果が１のとき、第一補正メモリのシェーディング補正データを選択して出力し、第二硬判定部の硬判定結果が０のとき、第二補正メモリのシェーディング補正データを選択して出力する手段を有することを特徴とする。
【００１９】
第一比較器は、差分が０となるようにタップゲインを制御することを特徴とする。
【００２０】
第二比較器は、減算器からの出力信号とセレクタで選択した出力信号とが同一信号レベルとなるようにタップゲインを制御することを特徴とする。
【００２１】
減算器は、イメージセンサのデータの符号間干渉を除去した信号を出力することを特徴とする。
【００２２】
第二比較器で制御後の出力信号は、シェーディング補正時の温度レベルでの出力を有することを特徴とする。
【００２３】
シェーディング補正回路は、符号間干渉と温度の影響とを除去した信号が入力されることを特徴とする。
【００２４】
センサ出力信号は、トランスバーサルフィルタに入力されるデータとタイミングのマッチングをとった遅延データが、減算器と第一比較器と第二硬判定部とに入力されることを特徴とする。
【００２５】
トランスバーサルフィルタは、イメージセンサのデータを１ビットごとに入力する複数の遅延素子を有するシフトレジスタと、遅延素子の出力と乗算されるべきタップゲインを発生する複数のタップゲインレジスタと、遅延素子の各々の出力とタップゲインとを乗算する複数の乗算器と、乗算器からの出力の総和を演算する加算器とを有し、加算器は、等化出力信号を減算器へ出力することを特徴とする。
【００２６】
本発明のイメージセンサ出力補正方法は、イメージセンサにより読み取った複数の読み取り基準信号を基に予め生成したシェーディング補正データをメモリに格納するステップと、イメージセンサからのセンサ出力信号を第一硬判定部で２値の硬判定を行うステップと、第一硬判定部からの出力信号をトランスバーサルフィルタに入力し等化するステップと、センサ出力信号とトランスバーサルフィルタから出力される等化出力信号との差分を減算器で演算するステップと、第一比較器により差分が０となるようにトランスバーサルフィルタを制御するステップと、２値の硬判定を行う第二硬判定部の判定結果によりメモリからの出力信号をセレクタで選択するステップと、第二比較器により減算器からの出力信号とセレクタで選択した出力信号とを比較し両出力信号が同一信号レベルとなるようトランスバーサルフィルタを制御するステップと、第二比較器で制御後の出力信号にセレクタからの出力信号を用いてシェーディング補正回路でシェーディング補正を行うステップと、シェーディング補正回路からのセンサ出力補正信号がＡ／Ｄコンバータに入力され、Ａ／Ｄコンバータによりアナログ信号からデジタル信号に変換するステップとを有することを特徴とする。
【００２７】
読み取り基準信号は、白基準信号データと黒基準信号データとを有することを特徴とする。
【００２８】
メモリに格納するステップは、白基準信号データに対するシェーディング補正データを第一補正メモリに格納するステップと、黒基準信号データに対するシェーディング補正データを第二補正メモリに格納するステップとを有することを特徴とする。
【００２９】
セレクタは、第二硬判定部の硬判定結果が１のとき、第一補正メモリのシェーディング補正データを選択して出力し、第二硬判定部の硬判定結果が０のとき、第二補正メモリのシェーディング補正データを選択して出力することを特徴とする。
【００３０】
第一比較器は、差分が０となるようにタップゲインを制御することを特徴とする。
【００３１】
第二比較器は、減算器からの出力信号とセレクタで選択した出力信号とが同一信号レベルとなるようにタップゲインを制御することを特徴とする。
【００３２】
減算器は、イメージセンサのデータの符号間干渉を除去した信号を出力することを特徴とする。
【００３３】
第二比較器で制御後の出力信号は、シェーディング補正時の温度レベルでの出力を有することを特徴とする。
【００３４】
シェーディング補正回路は、符号間干渉と温度の影響とを除去した信号が入力されることを特徴とする。
【００３５】
センサ出力信号は、トランスバーサルフィルタに入力されるデータとタイミングのマッチングをとった遅延データが、減算器と第一比較器と第二硬判定部とに入力されることを特徴とする。
【００３６】
トランスバーサルフィルタは、イメージセンサのデータを１ビットごとに入力する複数の遅延素子を有するシフトレジスタと、遅延素子の出力と乗算されるべきタップゲインを発生する複数のタップゲインレジスタと、遅延素子の各々の出力とタップゲインとを乗算する複数の乗算器と、乗算器からの出力の総和を演算する加算器とを有し、加算器は、等化出力信号を減算器へ出力することを特徴とする。
【発明の効果】
【００３７】
本発明のイメージセンサ出力補正装置は、トランスバーサルフィルタにより符号間干渉を除去した等化出力信号を生成することにより、イメージセンサの読み取りにおいて、隣接箇所の影響をなくし、読み取り特性を向上できるという効果がある。
【００３８】
また、トランスバーサルフィルタを適時変化させることにより、温度変化および媒体の反射率の変化による出力特性の変化に対応し、出力レベル特性を安定化できるという効果がある。
【００３９】
さらに、イメージセンサの出力特性の変化に対してトランスバーサルフィルタにより追従させることにより、ある１つの温度でのシェーディング補正データをメモリに格納しておくことで、全ての温度に対応した安定な出力特性が得られるため、シェーディング補正データを格納するメモリ容量を少なくすることができるという効果がある。
【発明を実施するための最良の形態】
【００４０】
次に、本発明のイメージセンサ出力補正装置の一実施の形態について、図面を参照して説明する。
【００４１】
図１は、本発明のイメージセンサ出力補正装置の一実施の形態を示す概略構成ブロック図である。
【００４２】
図１を参照すると、イメージセンサ出力補正装置１は、原稿の画像を読み取って画像信号に変換するイメージセンサ１１と、イメージセンサ１１からのセンサ出力信号ａを２値の硬判定（０、１）を行う第一硬判定部１２と、第一硬判定部１２からの出力信号が入力され等化するトランスバーサルフィルタ１３と、白基準信号データを基に予め生成したシェーディング補正データを格納する第一補正メモリ１４１と黒基準信号データを基に予め生成したシェーディング補正データを格納する第二補正メモリ１４２とを有するメモリ１４と、２値の硬判定を行う第二硬判定部１５の判定結果により、第一補正メモリ１４１と二補正メモリ１４２との何れかの出力信号を選択するセレクタ１６と、センサ出力信号ａとトランスバーサルフィルタ１３から出力される等化出力信号ｂとの差分を演算する減算器１７と、差分が０となるようにトランスバーサルフィルタ１３のタップゲイン１３４を制御する第一比較器１８と、減算器１７からの出力信号とセレクタ１６で選択した出力信号とを比較し両出力信号が同一信号レベルとなるようトランスバーサルフィルタ１３のタップゲイン１３４ｎを制御する第二比較器１９と、減算器１７からの出力信号とタップゲイン１３４ｎとを乗算器１３２ｎで乗算した信号が出力され、その出力信号にセレクタ１６からの出力信号を用いてシェーディング補正を行うシェーディング補正回路２０と、シェーディング補正回路２０からのセンサ出力補正信号ｃが入力され、アナログ信号からデジタル信号に変換するＡ／Ｄコンバータ２１とで構成される。
【００４３】
トランスバーサルフィルタ１３は、イメージセンサ１１からの出力データを１ビットごとに入力する複数の遅延素子１３１を有するシフトレジスタ１３０と、遅延素子１３１の出力と乗算されるべきタップゲイン１３４を発生する複数のタップゲインレジスタ（図示せず）と、遅延素子１３１の各々の出力とタップゲイン１３４とを乗算する複数の乗算器１３２と、乗算器１３２からの出力の総和を演算する加算器１３３とで構成され、加算器１３３は、等化出力信号ｂを減算器１７へ出力するよう構成される。
【００４４】
次に、上述のように構成されたイメージセンサ出力補正装置１の動作について、図面を参照して説明する。
【００４５】
図２は、イメージセンサ出力補正装置１の動作を示すフローチャート、図３は、白基準信号データを基に生成するシェーディング補正データを説明するための図、図４は、黒基準信号データを基に生成するシェーディング補正データを説明するための図である。
【００４６】
図２を参照すると、白基準信号データに対するシェーディング補正データを生成し（Ｓ１）、第一補正メモリ１４１に格納し（Ｓ２）、黒基準信号データに対するシェーディング補正データを生成し（Ｓ３）、第二補正メモリ１４２に格納する。
【００４７】
図３、図４に示すように、原稿の画像を読み取る前に、ある温度のときのイメージセンサ出力補正装置１に設けられた白基準（図示せず）と黒基準（図示せず）とを読み取り、読み取ったデータを基に対応ビットごとに補正値を求め、この補正値を各々第一補正メモリ１４１、第二補正メモリ１４２に格納しておく。
【００４８】
次に、原稿を読み取ると（Ｓ５）、イメージセンサ１１からのセンサ出力信号ａを第一硬判定部１２で２値の硬判定を行い（Ｓ６）、第一硬判定部１２からの硬判定結果の出力信号をトランスバーサルフィルタ１３のシフトレジスタ１３０に入力し（Ｓ７）、シフトレジスタ１３０の出力信号とタップゲイン１３４とを乗算器１３２で乗算し、乗算器１３２からの出力を総和する加算器１３３から等化出力信号ｂを減算器１７へ入力する（Ｓ８）。
【００４９】
上記（Ｓ５）において、センサ出力信号ａを第一硬判定部１２へ出力すると共に、トランスバーサルフィルタ１３の遅延素子１３１に入力されるフリップ・フロップ回路（図示せず）によりｎ個ディレイしたセンターのデータとタイミングのマッチングをとった、ディレイライン（図示せず）によりｎ個ディレイしたディレイｎ２３データが、出力され（Ｓ９）、ディレイｎ２３のデータは、減算器１７と第一比較器１８と第二硬判定部１５とに入力される（Ｓ１０、Ｓ１１、Ｓ１２）。
【００５０】
減算器１７は、ディレイｎ２３のデータと、トランスバーサルフィルタ１３の加算器１３３から出力される等化出力信号ｂとの差分を演算し、符号間干渉を除去した信号を出力する（Ｓ１３）。
【００５１】
第一比較器１８は、符号間干渉を除去した信号が入力され（Ｓ１４）、ディレイｎ２３のデータ信号と符号間干渉を除去した信号とを比較し、両信号の差分が０となるようにトランスバーサルフィルタ１３のタップゲイン１３４を制御する（Ｓ１５）。
【００５２】
ここで、硬判定、タップゲインの制御について、簡単に説明する。
【００５３】
例えば、硬判定前の信号レベルが３Ｖ（ボルト）、硬判定のスライスレベルが２．５Ｖとしたとき、硬判定前の信号レベルが硬判定のスライスレベルより大きい故、２値の硬判定結果は、１となり、また、１と硬判定するときの理想の信号レベルを５Ｖとすると、硬判定前の信号に２Ｖを加算するようにタップゲイン１３４を変化させる制御を行う。
【００５４】
上記（Ｓ９）でディレイｎ２３のデータが第二硬判定部１５に出力されると（Ｓ１２）、第二硬判定部１５は、２値の硬判定を行い（Ｓ１６）、セレクタ１６は、硬判定結果が１のとき、第一補正メモリ１４１のシェーディング補正データを選択して第二比較器１９へ出力し（Ｓ１７）、硬判定結果が０のとき、第二補正メモリのシェーディング補正データを選択して第二比較器１９へ出力する（Ｓ１８）。
【００５５】
第二比較器１９は、減算器１７からの出力信号とセレクタ１６で選択した出力信号とが入力され（Ｓ１９）、両出力信号が同一信号レベルとなるようトランスバーサルフィルタ１３のタップゲイン１３４ｎを制御し、減算器１７からの出力信号とタップゲイン１３４ｎとを乗算器１３２ｎで乗算した信号が出力される（Ｓ２０）。
【００５６】
従って、第二比較器１９で制御後の出力信号は、シェーディング補正時（上記Ｓ１〜Ｓ４）の温度での出力レベルを得ることになる。
【００５７】
なお、センサ出力信号ａ、減算器１７からの出力信号（符号間干渉を除去した信号）、第二比較器１９で制御後の出力信号（温度の影響を除去した信号）との一例を示すと、図５のようになる。
【００５８】
第二比較器で１９制御され、符号間干渉と温度の影響とを除去した信号が、シェーディング補正回路２０に入力され（Ｓ２１）、シェーディング補正回路２０は、セレクタ１６からの出力信号を用いてシェーディング補正を行い（Ｓ２２）、センサ出力補正信号ｃがＡ／Ｄコンバータ２１に入力され、Ａ／Ｄコンバータ２１によりアナログ信号からデジタル信号に変換される（Ｓ２３）。
【００５９】
以上説明したように、トランスバーサルフィルタ１３のタップゲイン１３４を変化させることで、符号間干渉を除去した等化出力信号ｂを生成することにより、イメージセンサ１１の読み取りにおいて、センサ出力信号ａの隣接する読み取り箇所の影響をなくし、読み取り特性を向上させている。
【００６０】
また、トランスバーサルフィルタ１３のタップゲイン１３４を適時変化させることにより、温度変化および媒体の反射率の変化による出力特性の変化に対応し、出力レベル特性を安定化させている。
【００６１】
さらに、イメージセンサ１１の出力特性の変化に対してトランスバーサルフィルタ１３により追従させることにより、ある１つの温度でのシェーディング補正データをメモリ１４に格納しておくことで、全ての温度に対応した安定な出力特性が得られるため、シェーディング補正データを格納するメモリ１４容量を少なくすることができる。
【図面の簡単な説明】
【００６２】
【図１】本発明のイメージセンサ出力補正装置の実施の形態を示す概略構成ブロック図である。
【図２】本発明のイメージセンサ出力補正装置の動作を示すフローチャートである。
【図３】白基準信号データを基に生成するシェーディング補正データを説明するための図である。
【図４】黒基準信号データを基に生成するシェーディング補正データを説明するための図である。
【図５】センサ出力信号、符号間干渉を除去した信号、温度の影響を除去した信号との一例を示す図である。
【符号の説明】
【００６３】
１    イメージセンサ出力補正装置
１１    イメージセンサ
１２    第一硬判定部
１３    トランスバーサルフィルタ
１３０    シフトレジスタ
１３１    遅延素子
１３２、１３２ｎ    乗算器
１３３    加算器
１３４、１３４ｎ    タップゲイン
１４    メモリ
１４１    第一補正メモリ
１４２    第二補正メモリ
１５    第二硬判定部
１６    セレクタ
１７    減算器
１８    第一比較器
１９    第二比較器
２０    シェーディング補正回路
２１    Ａ／Ｄコンバータ
ａ    センサ出力信号
ｂ    等化出力信号
ｃ    センサ出力補正信号
【図１】
2005057516.tif 000003
【図２】
2005057516.tif 000004
【図３】
2005057516.tif 000005
【図４】
2005057516.tif 000006
【図５】
2005057516.tif 000007